(57)【要約】【課題】外刃と隣接するようにリブが設けられた電気かみそりにおいて、より速やかに体毛を短く剃れるようにする。【解決手段】かみそり本体３の刃面４ａに、外刃２と当該外刃２の延在方向（左右方向）Ｙと直交する前後方向（直交方向）Ｘに外刃２と隣接して肌ガード部材（リブ）３０とが設けられた電気かみそり１において、肌ガード部材（リブ）３０の肌接触面３５に、凹凸形状４０を設ける。【選択図】図２
2012100865.tif 000002
【特許請求の範囲】
【請求項１】
かみそり本体の刃面に、外刃と当該外刃の延在方向と直交する直交方向に前記外刃と隣接してリブとが設けられた電気かみそりにおいて、
前記リブの肌接触面に、凹凸形状を設けたことを特徴とする電気かみそり。
【請求項２】
前記刃面は、前記直交方向に並設される複数の外刃によって形成されており、前記リブを、隣り合う外刃間に配置したことを特徴とする請求項１に記載の電気かみそり。
【請求項３】
前記凹凸形状を、前記直交方向に露出した前記リブの側壁面に形成したことを特徴とする請求項１または２に記載の電気かみそり。
【請求項４】
前記凹凸形状を、前記リブの天壁面に形成したことを特徴とする請求項１〜３のうち何れか１項に記載の電気かみそり。
【請求項５】
前記リブは、前記天壁面に前記凹凸形状が設けられる第１のリブと、前記側壁面に前記凹凸形状が設けられる第２のリブと、を備えることを特徴とする請求項４に記載の電気かみそり。
【請求項６】
前記リブは、前記側壁面に前記凹凸形状がそれぞれ設けられた第１のリブおよび第２のリブを備えており、
前記第１のリブの凹凸形状と前記第２のリブの凹凸形状を互いに向かい合わせて配置させるとともに、前記第１のリブと前記第２のリブとの間に、少なくとも一つの外刃を配置したことを特徴とする請求項３に記載の電気かみそり。
【請求項７】
前記第１のリブと前記第２のリブとの間に配置される外刃としてスリット刃を用いたことを特徴とする請求項６に記載の電気かみそり。
【請求項８】
前記凹凸形状を、前記直交方向と当該直交方向に垂直な方向とに凹凸させるように設けたことを特徴とする請求項１または２に記載の電気かみそり。
【請求項９】
前記リブを、前記直交方向に沿う断面視で、前記凹凸形状が設けられる側壁面と天壁面とのなす角度が鋭角となるように形成したことを特徴とする請求項１〜８のうち何れか１項に記載の電気かみそり。
【請求項１０】
前記凹凸形状を、前記リブの延在方向に沿って波状に形成したことを特徴とする請求項１〜９のうち何れか１項に記載の電気かみそり。
【請求項１１】
前記凹凸形状を、前記リブの延在方向に沿って櫛状に形成したことを特徴とする請求項１〜９のうち何れか１項に記載の電気かみそり。
【請求項１２】
前記凹凸形状を、前記リブの延在方向に球体を並設して形成したことを特徴とする請求項１〜９のうち何れか１項に記載の電気かみそり。
【発明の詳細な説明】
【技術分野】
【０００１】
本発明は、電気かみそりに関する。
【背景技術】
【０００２】
従来の電気かみそりとして例えば特許文献１には、かみそり本体の刃面に、外刃と当該外刃の延在方向と直交するかみそり本体の剃り方向に前記外刃と隣接してリブとを設けたものが知られている。
【０００３】
この特許文献１では、外刃としての隣り合うネット刃間に上述のリブとしての肌ガード部材を設けることで、隣接するネット刃間への肌の入り込みを防止して肌当たりを良くすることができるようになっている。
【先行技術文献】
【特許文献】
【０００４】
【特許文献１】特許第４２０７０８０号公報
【発明の概要】
【発明が解決しようとする課題】
【０００５】
ところで、このような構造の電気かみそりにおいては、剃り時間を短縮する、即ち体毛をより速やかに短く剃れるようにすることが望ましい。
【０００６】
そこで、本発明は、外刃と隣接してリブが設けられた電気かみそりにおいて、より速やかに体毛を短く剃れるようにすることを目的とする。
【課題を解決するための手段】
【０００７】
上記目的を達成するために、本発明の電気かみそりにあっては、かみそり本体の刃面に、外刃と当該外刃の延在方向と直交する直交方向に前記外刃と隣接してリブとが設けられた電気かみそりにおいて、前記リブの肌接触面に、凹凸形状を設けたことを特徴とする。
【発明の効果】
【０００８】
本発明の電気かみそりによれば、外刃と隣接して設けられるリブの肌接触面に凹凸形状を設けたので、当該凹凸形状によって体毛を効率的に起こすことができるようになる。その結果、起立させた体毛の外刃への導入率を高めることができるようになり、より速やかに体毛を短く剃ることができる。
【図面の簡単な説明】
【０００９】
【図１】本発明の第１実施形態にかかる電気かみそりを示した正面図である。
【図２】本発明の第１実施形態にかかる電気かみそりの刃面を示した斜視図である。
【図３】図２に示す刃面の平面図である。
【図４】図２に示す刃面の外刃ユニットを分解した斜視図である。
【図５】図４に示す外刃ユニットの平面図である。
【図６】図５のＡ−Ａ断面図である。
【図７】図１に示す電気かみそりの第１変形例にかかる刃面を示した平面図である。
【図８】図７に示す外刃ユニットを分解した側面図である。
【図９】図１に示す電気かみそりの第２変形例にかかる外刃ユニットを示した平面図である。
【図１０】図１に示す電気かみそりの第３変形例にかかる外刃ユニットを示した平面図である。
【図１１】図１に示す電気かみそりの第４変形例にかかる外面を示した平面図である。
【図１２】その他の変形例にかかる電気かみそりの外刃ユニットを示した平面図である。
【発明を実施するための形態】
【００１０】
以下、本発明の実施形態について図面を参照しつつ詳細に説明する。図１〜図６は、本発明の第１実施形態にかかる電気かみそりを示した図である。なお、以下では、外刃が延在する方向を左右方向Ｙとして説明する。また、複数の外刃が並設される方向を前後方向（外刃の延在方向と直交する直交方向：剃り方向）Ｘ、外刃が上方を向くようにヘッド部を配置した状態における上下方向を上下方向（直交方向に垂直な方向）Ｚとして説明する。
【００１１】
図１に示すように、本実施形態の電気かみそり１は、かみそり本体３と、かみそり本体３の先端（上端）に設けられる刃部４と、刃部４を動作させる図示せぬ駆動部と、を主体に構成されている。
【００１２】
かみそり本体３は、本実施形態では使用者が把持するグリップ部７と、該グリップ部７に連結されるヘッド部５とに分割されており、体毛を処理する刃部４が前記ヘッド部５に、駆動部により刃部４を動作させる（電源をオン、オフさせる）押圧式のスイッチ９が前記グリップ部７に設けられている。
【００１３】
図２に示すように、刃部４は、ヘッド部５の上方に露出して設けられる外刃２と、この外刃２の内方（外刃２の下側）に配設される内刃（図示せぬ）とにより構成される。そして、外刃２の刃穴２ａより取り込んだ体毛を、内刃が外刃２に対して相対移動（外刃２の延在方向（左右方向）Ｙに往復動）することで、これら内刃と外刃１１とが協働して体毛を切断するようになっている。
【００１４】
ヘッド部５は、グリップ部７に取り付けられるヘッド部本体３０と、このヘッド部本体３０に着脱自在に装着される刃フレーム部５０とを備えている。
【００１５】
刃フレーム部５０は、図２に示すように、複数の外刃２を上下動自在に備えた箱型の外刃カセット５１と、この外刃カセット５１を下側から収納して装着させることで外刃カセット５１の側方を全周に亘って覆い隠す筒型の外周枠５２とを備えている。
【００１６】
外刃カセット５１の複数の外刃２は、前後方向Ｘに並設される。本実施形態では、５枚（複数）の外刃２によって電気かみそり１の刃面４ａが形成されており、第１のネット刃２１、第２のネット刃２２、スリット刃２０、第３のネット刃２３、第４のネット刃２４が刃面４ａの前方（図２の手前側）から後方（図２の奥側）にこの順で並んでいる。
【００１７】
第１〜第４のネット刃２１〜２４は、何れも側面視（左右方向Ｙに外刃を視た状態）で上方が凸となるように前後方向Ｘに沿って逆Ｕ字状に湾曲して形成されている。このネット刃２１〜２４には、桟によって多数の刃穴２ａが画成されている。
【００１８】
また、本実施形態では、第２および第３のネット刃２２、２３の刃幅（前後方向Ｘの幅）が、第１および第４のネット刃２１、２４の刃幅（前後方向Ｘの幅）よりも小さくなるように形成されている。このように、ネット刃２２、２３の刃幅をネット刃２１、２４の刃幅に比して小さく（即ち、ネット刃２２、２３の曲率半径を小さく）設けることで、表面に押し付けた肌を刃穴２ａから大きく内側に突出させて体毛を短く剃ることができるようにしている。つまり、本実施形態では、この第２および第３のネット刃２２、２３は、仕上げ用のネット刃として用いられる。
【００１９】
スリット刃２０は、図２に示すように、前後方向Ｘに沿ってコ字状に湾曲形成されており、平坦な上壁から側壁に至る多数のスリット２ａを穿設することで形成されている。すなわち、スリット刃２０には、多数のスリット（刃穴）２ａが、平坦な上壁から側壁に至る略コ字状の桟および側壁の下部で左右方向Ｙに沿って延在する桟によって画成されている。
【００２０】
そして、図３および図４に示すように、外刃２を成す各ネット刃２１〜２４およびスリット刃２０は、それぞれ専用の外刃枠２５ａ〜２５ｅに取り付けられることで、それぞれ外刃ユニット２６ａ〜２６ｅを形成している。そして、これらの外刃ユニット２６ａ〜２６ｅは、図示せぬ外刃フレームにそれぞれ独立して上下移動可能に係合され、これら外刃ユニット２６ａ〜２６ｅと外刃フレームとが一体化することで、外刃カセット５１が形成される。
【００２１】
ここで、本実施形態では、複数の外刃枠２５ａ〜２５ｅのうち第１および第４のネット刃２１、２４を固定する外刃枠２５ａ、２５ｅには、外刃２の延在方向（左右方向）Ｙと同じ方向に沿って延びるリブとしての肌ガード部材３０が取り付けられるようになっている。この肌ガード部材３０は、複数の外刃２が並設される前後方向Ｘに、外刃２と隣接して設けられるものである。
【００２２】
本実施形態では、上述の肌ガード部材３０を隣接する外刃２としての第１と第２のネット刃２１、２２間および第３と第４のネット刃２３、２４間に配置させており、このように隣り合うネット刃２１、２２（２３、２４）間に肌ガード部材３０を設けることで、隣接するネット刃２１、２２（２３、２４）間への肌の入り込みを防止して、肌当たりを良くすることができるようにしている。
【００２３】
また、本実施形態では、外刃枠２５ａ（２５ｅ）の天壁面５１ａと、この外刃枠２５ａ（２５ｅ）に取り付けられる肌ガード部材３０の天壁面３５ｂとを、滑らかな曲面を含む同一面で繋げるようにしている。すなわち、外刃枠２５ａ（２５ｅ）と肌ガード部材３０とを、それぞれの天壁面５１ａ、３５ｂが同一面となるように一体成形するようにしている。このように、本実施形態では、ネット刃２１、２４（外刃２）の延在方向Ｙ両側に露出する外刃枠２５ａ（２５ｅ）の天壁面５１ａと肌ガード部材３０の天壁面３５ｂとを同一面で繋げるようにしたので、電気かみそり１の使用時に溝や段差によって使用者にごつごつ感を与えることなく、肌当たりを良くすることができる。
【００２４】
なお、本実施形態では、隣接するネット刃２１、２２（２２、２３）間に肌ガード部材３０を設けるようにしたが、肌ガード部材３０の配置はこれに限定されない。例えば、上述の曲率半径の小さな仕上げ用のネット刃（第２および第３のネット２２、２３）が、前後方向Ｘの端部に位置する場合には、その仕上げ用のネット刃（第２および第３のネット２２、２３）のさらに外側（前後方向Ｘ外側）に肌ガード部材３０を配置させるようにしてもよい。こうすれば、肌ガード部材３０によって曲率半径の小さな仕上げ用のネット刃（第２および第３のネット刃２２、２３）に、肌が強く押し付けられるのを抑制することができる。
【００２５】
このように、本実施形態の電気かみそり１によれば、外刃２と隣接して設けられる肌ガード部材３０によって、肌へのダメージを効果的に抑制しつつ、体毛（髭）を短く剃ることができる。ところが、このような構成の電気かみそり１においては、剃り時間を短縮する、即ち体毛をより速やかに短く剃れるようにすることが望ましく、そのためには刃面４ａの剃り性能を向上させる必要がある。そこで、本発明では、外刃２と隣接して設けられる上述のリブとしての肌ガード部材３０に着目し、この肌ガード部材３０に起毛作用を付加することで、体毛の剃り性能を高められるようにしている。
【００２６】
具体的には、図４〜図６に示すように、本実施形態では肌ガード部材３０の肌接触面３５に、凹凸形状４０を設けるようにしている。
【００２７】
凹凸形状４０は、本実施形態では肌ガード部材３０の側壁面３５ａに設けられる。この側壁面３５ａは、肌ガード部材３０における電気かみそり１の前後方向Ｘ両側の側壁面のうち、第１および第４のネット刃２１、２４に面しない側の側壁面３５ａである。すなわち、側壁面３５ａは電気かみそり１の前後方向Ｘに露出するとともに、電気かみそり１の使用時に肌と接触する肌接触面３５の一部であり、このように凹凸形状４０の凸部４０ａ（凹部４０ｂ）を水平（本実施形態では前後方向Ｘ）に凸設（凹設）することで、体毛を効果的に起毛できるようにしている。
【００２８】
また、上述したように本実施形態では、第１のネット刃２１に取り付けられる第１の肌ガード部材３０ａと、第４のネット刃２４に取り付けられる第２の肌ガード部材３０ｂの二つの肌ガード部材３０が用いられている。これら二つの肌ガード部材３０ａ、３０ｂは、図２および図３に示すように、それぞれの凹凸形状４０が互いに向かい合わせて配置されるようになっており、この二つの肌ガード部材３０ａ、３０ｂ間に、残りの外刃２である第２のネット刃２２、スリット刃２０、第３のネット刃２３が配置される。このように、本実施形態では二つの肌ガード部材３０ａ、３０ｂの凹凸形状４０を対向配置させているので、電気かみそり１の使用時に、前後方向Ｘの一方方向と他方方向のいずれの方向に移動させても、凹凸形状４０によって起毛させることができる。
【００２９】
また、凹凸形状４０は、本実施形態では肌ガード部材３０の延在方向（左右方向）Ｙに沿って波状に湾曲した形となっている。そして、この波状の凹凸形状４０は、延在方向（左右方向）Ｙに沿って連続的に設けられ、延在方向Ｙの両端部が外刃２（第１および第４のネット刃２１、２４）の延在方向（左右方向）Ｙの長さと略同じ位置まで延びている。
【００３０】
また、図６に示すように、本実施形態の肌ガード部材３０は、前後方向Ｘに沿う断面視で、凹凸形状４０が設けられる側壁面３５ａと天壁面３５ｂとのなす角度が鋭角となるように形成されている。すなわち、肌ガード部材３０は、当該肌ガード部材３０の天壁面３５ｂ（図中上方）に向かって斜めに立ち上がるテーパ状に形成されており、このように肌ガード部材３０を断面テーパ状とすることで、先細り状となった先端部分を肌に接触させ易く（食い込ませ易く）して、寝ている（起毛角の小さい）体毛をより効果的に起立させることができるようにしている。
【００３１】
以上の構成により、本実施形態の電気かみそり１によれば、外刃２と隣接して設けられるリブとしての肌ガード部材３０が肌接触面３５に凹凸形状４０を備えるので、当該凹凸形状４０によって体毛（髭）を効率的に起こすことができるようになる。その結果、起立させた体毛の外刃２（刃穴２ａ）への導入率を高めることができるようになり、体毛をより速やかに短く剃ることができる。
【００３２】
また、本実施形態では、電気かみそり１（かみそり本体３）の刃面４ａが、前後方向（外刃の延在方向と直交する直交方向）Ｘに並設される複数の外刃２によって形成されており、リブとしての肌ガード部材３０を、隣り合う外刃２としての第１と第２のネット刃２１、２２間および第３と第４のネット刃２３、２４間に配置している。そのため、隣接する外刃２（第１と第２のネット刃２１、２２、第３と第４のネット刃２３、２４）間に肌が入り込むことを肌ガード部材３０によって防止でき、使用者に痛みを与えるのを抑制して肌当たりを良くすることができる。
【００３３】
さらに、本実施形態では、凹凸形状４０を前後方向Ｘに露出した肌ガード部材３０の側壁面３５ａに形成している。そのため、電気かみそり１をスライドさせることで、凹凸形状４０を体毛（髭）の基端側へ潜り込ませることができ、体毛を起こし易くすることができる。
【００３４】
さらにまた、本実施形態の肌ガード部材３０は、肌接触面３５としての側壁面３５ａに凹凸形状４０がそれぞれ設けられた第１の肌ガード部材３０ａ（第１のリブ）および第２の肌ガード部材３０ｂ（第２のリブ）を備えており、これら第１と第２の肌ガード部材３０ａ、３０ｂの凹凸形状４０を互いに向かい合わせて配置させるとともに、これら第１と第２の肌ガード部材３０ａ、３０ｂ間に、少なくとも一つの外刃２（例えば、第２のネット刃２２）を配置している。そのため、電気かみそり１の使用時に、前後方向Ｘの一方方向と他方方向のいずれの方向に移動させても、凹凸形状４０によって起毛させることができるとともに、起立した体毛をこれら第１と第２の肌ガード部材３０ａ、３０ｂ間に配置された外刃２（例えば第２のネット刃２２）に導入することで、速やかに体毛（髭）を短く剃ることができる。さらに、第１の肌ガード部材３０ａと第２の肌ガード部材３０ｂとの間に位置する肌が、電気かみそり１をスライドさせることで皮膚がひっぱられるようにして持ち上がるため、肌に沿って寝ている体毛を起こし易くすることができるという利点がある。
【００３５】
また、本実施形態では、上述の第１と第２の肌ガード部材３０ａ、３０ｂ間に配置される外刃２としてスリット刃２０を用いている。ここで、スリット刃２０は、外刃２を成す第１〜第４のネット刃２１〜２４およびスリット２０のうちで一番体毛の導入率の高い刃である。このように、本実施形態では第１と第２の肌ガード部材３０ａ、３０ｂ間に導入率の高いスリット刃２０を配置したので、起立させた体毛の外刃２への導入率をより高めることができる。なお、本実施形態では、第１と第２の肌ガード部材３０ａ、３０ｂ間に３つの外刃２（第２のネット刃２２、スリット刃２０、第３のネット刃２３）を配置するようにしたが、上述したスリット刃２の効果を最大に得るためには、第１と第２の肌ガード部材３０ａ、３０ｂ間には、スリット刃２０のみを設けるのが好適である。
【００３６】
さらに、本実施形態では、肌ガード部材３０を前後方向Ｘに沿う断面視で、凹凸形状４０が設けられる側壁面３５ａと天壁面３５ｂとのなす角度が鋭角となるように形成している。そのため、先細り状となった先端部分を肌に接触させ易く（食い込ませ易く）することができ、寝ている（起毛角の小さい）体毛をより効果的に起毛することができる。
【００３７】
さらにまた、本実施形態では、凹凸形状４０を肌ガード部材３０の延在方向（左右方向）Ｙに沿って波状に形成している。そのため、凹凸形状４０の開口（凹部４０ｂ）を比較的広くとることができ、これにより、この開口によって体毛（髭）を起毛させることができつつ、肌ガード部材４０の剛性を高くできるという効果がある。
【００３８】
［第１変形例］
図７および図８は、上記第１実施形態にかかる電気かみそりの第１変形例を示した図である。本変形例が上記第１実施形態と主に異なる点は、肌ガード部材３０の凹凸形状４０Ａを、肌接触面３５としての肌ガード部材３０の天壁面３５ｂに設けたことにある。
【００３９】
具体的には、図７に示すように、本変形例では上述の天壁面３５ｂに凹凸形状４０Ａが設けられた第１の肌ガード部材３０ｃと、上記第１実施形態と同様に側壁面３５ａに凹凸形状４０が設けられた第２の肌ガード部材３０ｄの二つの肌ガード部材３０を用いるようにしている。
【００４０】
第１の肌ガード部材３０ｃの凹凸形状４０Ａは、図８に示すように、電気かみそり１の上方に露出した天壁面３５ｂに波状に湾曲して形成されている。このように、凹凸形状４０Ａの凸部４０ｃ（凹部４０ｄ）を上方方向Ｙの上方に凸設（凹設）することで、表面に押しつけた肌を凹凸させることができるようにしている。なお、この波状の凹凸形状４０Ａは、肌ガード部材３０の延在方向（左右方向）Ｙに沿って連続的に設けられ、延在方向Ｙの両端部が外刃２（第１のネット刃２１）の延在方向（左右方向）Ｙの長さと略同じ位置まで延びている。
【００４１】
以上の構成により、本変形例の電気かみそり１によれば、上記第１実施形態と同様の作用効果を得ることができる。
【００４２】
また、本変形例では、肌ガード部材３０の凹凸形状４０Ａを、肌接触面３５としての肌ガード部材３０の天壁面３５ｂに形成したため、この凹凸形状４０Ａによって表面に押しつけた肌を凹凸させることができる。すなわち、本変形例では、凹凸形状４０Ａの凸部４０ｃを肌面に食い込ませることで肌を凹凸させることができ、これにより、肌面に沿って寝ている体毛（髭）を起こすことができるようになる。したがって、起立させた体毛の外刃２（刃穴２ａ）への導入率を高めることができ、体毛をより速やかに短く剃ることができる。
【００４３】
さらに、本変形例の肌ガード部材３０は、肌接触面３５としての天壁面３５ｂに凹凸形状４０Ａが設けられた第１の肌ガード部材３０ｃと、肌接触面３５としての側壁面３５ａに凹凸形状４０が設けられた第２の肌ガード部材３０ｄとを備えている。そのため、電気かみそり１の使用時に、凹凸形状４０Ａおよび凹凸形状４０の両方の効果を得ることができるという利点がある。
【００４４】
［第２変形例］
図９は、上記第１実施形態にかかる電気かみそりの第２変形例を示した図である。本変形例が上記第１実施形態と主に異なる点は、肌ガード部材３０の凹凸形状４０Ｂを、前後方向Ｘと当該前後方向Ｘに垂直な方向（上下方向Ｙ）とに凹凸させるように設けたことにある。
【００４５】
すなわち、図９に示すように、本変形例の肌ガード部材３０の凹凸形状４０Ｂは、平面視で前後方向Ｘにも上下方向Ｙにも波状に湾曲して凹凸した形となっている。このような形状は、例えば上記第１変形例で示した凹凸形状４０Ａを、前後方向Ｘに向けて所定角度捻る（凹凸形状４０Ａの延在方向Ｙの両端部を所定角度折り曲げる）ことで形成することができる。
【００４６】
以上の構成により、本変形例の電気かみそり１によれば、上記第１実施形態および第１変形例と同様の作用効果を得ることができる。
【００４７】
また、本変形例では肌ガード部材３０の凹凸形状４０Ｂを、前後方向Ｘと当該前後方向Ｘに垂直な方向（上下方向）Ｙとに凹凸させるように設けている。そのため、凹凸形状４０Ｂが体毛（髭）の基端側へ潜り込んで体毛を起こし易くできる効果と、肌を凹凸させることで肌面に沿って寝ている体毛を起こすことができる効果の両方を得ることができ、体毛をより速やかに短く剃ることができる。さらに、本変形例では、上記第１実施形態および第１変形例のように、肌ガード部材３０を二つ用いる必要がなくなるため、同じ剃り性能を維持しつつ、電気かみそり１の刃面４ａ、ひいては電気かみそり１を小型化できるという利点がある。
【００４８】
［第３変形例］
図１０は、上記第１実施形態にかかる電気かみそりの第３変形例を示した図である。本変形例が上記第１実施形態と主に異なる点は、肌ガード部材３０の凹凸形状４０Ｃを、当該肌ガード部材３０の延在方向（左右方向）Ｙに沿って櫛状に形成したことにある。
【００４９】
すなわち、図１０に示すように、本変形例では上記第１実施形態と同様にして、凹凸形状４０Ｃが前後方向Ｘに露出した側壁面３５に設けられており、この凹凸形状４０Ｃの櫛状に凹凸した凸部４０ｅ（凹部４０ｆ）が肌ガード部材３０の延在方向（左右方向）Ｙに沿って連続的に設けられている。
【００５０】
以上の構成により、本変形例の電気かみそり１によれば、上記第１実施形態および第１変形例と同様の作用効果を得ることができる。
【００５１】
また、本変形例では、肌ガード部材３０の凹凸形状４０Ｃを、当該肌ガード部材３０の延在方向（左右方向）Ｙに沿って櫛状に形成したため、この間隔が狭く凹凸した櫛状の凹凸形状４０Ｃによって、より効果的に体毛（髭）を起毛させることができるようになる。したがって、起立させた体毛の外刃２（刃穴２ａ）への導入率を高めて、体毛をより速やかに短く剃ることができる。
【００５２】
［第４変形例］
図１１は、上記第１実施形態にかかる電気かみそりの第４変形例を示した図である。本変形例が上記第１実施形態と主に異なる点は、肌ガード部材３０Ａの凹凸形状４０Ｄを、当該肌ガード部材３０Ａの延在方向（左右方向）Ｙに球体４５を並設して形成したことにある。
【００５３】
すなわち、図１１に示すように、本変形例では隣り合う外刃２としての第１と第２のネット刃２１、２２間に、樹脂製の複数の球体４５を並設することにより、肌ガード部材３０Ａならびに凹凸形状４０Ｄを形成するようにしている。
【００５４】
以上の構成により、本変形例の電気かみそり１によれば、上記第１実施形態および第１変形例と同様の作用効果を得ることができる。
【００５５】
また、本変形例では、肌ガード部材３０Ａの凹凸形状４０Ｄを、当該肌ガード部材３０Ａの延在方向（左右方向）Ｙに球体４５を並設して形成している。そのため、凹凸形状４０Ｄによって体毛（髭）を効果的に起毛できるとともに、この樹脂製の球体４５によって肌当たりを滑らかにして、使用者に痛みを与えるのを抑制することができる。
【００５６】
以上、本発明の好適な実施形態について説明したが、本発明は上記実施形態には限定されず、種々の変形が可能である。
【００５７】
例えば、図１２に示すその他の変形例のように、前後方向Ｘ両側に凹凸形状４０が設けられるように肌ガード部材３０Ｂを構成してもよい。こうすれば、電気かみそり１の使用時に、前後方向Ｘの一方方向と他方方向のいずれの方向に移動させても、凹凸形状４０によって体毛を起毛させることができる。
【符号の説明】
【００５８】
１    電気かみそり
２    外刃
３    かみそり本体
４ａ  刃面
２０  スリット刃（外刃）
２１  第１のネット刃（外刃）
２２  第２のネット刃（外刃）
２３  第３のネット刃（外刃）
２４  第４のネット刃（外刃）
３０  肌ガード部材（リブ）
３５  肌接触面
４０  凹凸形状
Ｘ    前後方向（外刃の延在方向と直交する直交方向）
Ｙ    左右方向（外刃の延在方向）
Ｚ    上下方向（直交方向と垂直な方向）
【図１】
2012100865.tif 000003
【図２】
2012100865.tif 000004
【図３】
2012100865.tif 000005
【図４】
2012100865.tif 000006
【図５】
2012100865.tif 000007
【図６】
2012100865.tif 000008
【図７】
2012100865.tif 000009
【図８】
2012100865.tif 000010
【図９】
2012100865.tif 000011
【図１０】
2012100865.tif 000012
【図１１】
2012100865.tif 000013
【図１２】
2012100865.tif 000014